(57)【要約】【課題】複数のネットワーク資源ドメインを経由するパスを設定する際に、ノード装置に割り当てられるＩＰアドレスが重複して割り当てられないようにする方法等を提供する。【解決手段】各資源管理装置は、自ら管理するネットワーク資源ドメインの中で、ノード装置へ割当可能なＩＰアドレス範囲を蓄積したアドレス資源蓄積部を有する。第１の資源管理装置が、第１のネットワーク資源ドメインに属する第１のノード装置と、第２のネットワーク資源ドメインに属する第２のノード装置との間でパスを確立すべきパス要求を受け付ける。次に、第１の資源管理装置が、第２の資源管理装置との間で、第１のアドレス資源蓄積部の中で未割当のＩＰアドレスと、第２のアドレス資源蓄積部の中で未割当のＩＰアドレスとを交換する。そして、両資源管理装置は、互いに未割当のＩＰアドレスを、第１のノード装置及び第２のノード装置上のネットワーク端点へ割り当てる。【選択図】図２
2012199723.tif 000002
【特許請求の範囲】
【請求項１】
第１のネットワーク資源ドメインを管理する第１の資源管理装置と、第２のネットワーク資源ドメインを管理する第２の資源管理装置とが接続されたシステムにおけるアドレス割当方法であって、
第１の資源管理装置は、第１のネットワーク資源ドメインの中で、ノード装置上のネットワーク端点へ割当可能なＩＰアドレス範囲を蓄積した第１のアドレス資源蓄積部を有し、
第２の資源管理装置は、第２のネットワーク資源ドメインの中で、ノード装置上のネットワーク端点へ割当可能なＩＰアドレス範囲を蓄積した第２のアドレス資源蓄積部を有し、
第１の資源管理装置が、第１のネットワーク資源ドメインに属する第１のノード装置と、第２のネットワーク資源ドメインに属する第２のノード装置との間でパスを確立すべきパス要求を、オペレーションクライアントから受信する第１のステップと、
第１の資源管理装置が、第２の資源管理装置との間で、第１のアドレス資源蓄積部の中で未割当のＩＰアドレスと、第２のアドレス資源蓄積部の中で未割当のＩＰアドレスとを交換する第２のステップと、
第１の資源管理装置及び第２の資源管理装置は、両方のアドレス資源蓄積部の中で互いに未割当のＩＰアドレスを、第１のノード装置及び第２のノード装置上のネットワーク端点へ割り当てる第３のステップと
を有することを特徴とするアドレス割当方法。
【請求項２】
第２のステップについて、
第１の資源管理装置が、第１のアドレス資源蓄積部の中で未割当の第１のＩＰアドレス範囲を含む問合せ要求を、第２の資源管理装置へ送信する第２１のステップと、
第２の資源管理装置が、第１のＩＰアドレス範囲の中で、第２のアドレス資源蓄積部で未割当の第２のＩＰアドレスを、第１の資源管理装置へ送信する第２２のステップと
を有することを特徴とする請求項１に記載のアドレス割当方法。
【請求項３】
第２２のステップについて、第２の資源管理装置が、第１のＩＰアドレス範囲が全て、第２のアドレス資源蓄積部で割当済みである場合、第２のアドレス資源蓄積部の中で未割当の第２のＩＰアドレス範囲を、第１の資源管理装置へ送信するステップと、
第１の資源管理装置が、第２のＩＰアドレス範囲の中で、第１のアドレス資源蓄積部で未割当の第１のＩＰアドレスを、第２の資源管理装置へ送信するステップと
を有することを特徴とする請求項２に記載のアドレス割当方法。
【請求項４】
前記ＩＰアドレス範囲は、サブネットを用いたクラスレスアドレッシング方式によって指定されることを特徴とする請求項１から３のいずれか１項に記載のアドレス割当方法。
【請求項５】
前記システムは、第１のネットワーク資源ドメインと、第２のネットワーク資源ドメインとの間に、１つ以上の他のネットワーク資源ドメインが介在することを特徴とする請求項１から４のいずれか１項に記載のアドレス割当方法。
【請求項６】
オペレーションクライアントからの指示に基づいて、前記パスが切断された場合、第１の資源管理装置及び第２の資源管理装置は、当該パスにおけるノード装置上のネットワーク端点に割り当てたＩＰアドレスを解放することを特徴とする請求項１から５のいずれか１項に記載のアドレス割当方法。
【請求項７】
１つのネットワーク資源ドメインを管理する資源管理装置について、他の資源管理装置と連携して、複数のネットワーク資源ドメインがノード装置を介して接続されたネットワーク資源を管理する資源管理装置であって、
当該資源管理装置が管理するネットワーク資源ドメインの中で、ノード装置へ割当可能なＩＰアドレス範囲を蓄積したアドレス資源蓄積手段と、
オペレーションクライアントから、当該資源管理装置のネットワーク資源ドメインに属する第１のノード装置と、他方のネットワーク資源ドメインに属する第２のノード装置との間でパスを確立すべきパス要求を受信するパス要求受付手段と、
他方の資源管理装置との間で、当該アドレス資源蓄積部の中で未割当のＩＰアドレスと、他方の資源管理装置の中で未割当のＩＰアドレスとを交換するアドレス交換手段と、
両方の資源管理装置で互いに未割当のＩＰアドレスを、第１のノード装置上のネットワーク端点に割り当てるＩＰアドレス割当手段と
を有することを特徴とする資源管理装置。
【請求項８】
１つのネットワーク資源ドメインを管理する資源管理装置について、他の資源管理装置と連携して、複数のネットワーク資源ドメインがノード装置を介して接続されたネットワーク資源を管理する資源管理装置に搭載されたコンピュータを機能させるプログラムであって、
当該資源管理装置が管理するネットワーク資源ドメインの中で、ノード装置へ割当可能なＩＰアドレス範囲を蓄積したアドレス資源蓄積手段と、
オペレーションクライアントから、当該資源管理装置のネットワーク資源ドメインに属する第１のノード装置と、他方のネットワーク資源ドメインに属する第２のノード装置との間でパスを確立すべきパス要求を受信するパス要求受付手段と、
他方の資源管理装置との間で、当該アドレス資源蓄積部の中で未割当のＩＰアドレスと、他方の資源管理装置の中で未割当のＩＰアドレスとを交換するアドレス交換手段と、
両方の資源管理装置で互いに未割当のＩＰアドレスを、第１のノード装置上のネットワーク端点に割り当てるＩＰアドレス割当手段と
してコンピュータを機能させることを特徴とする資源管理装置用のプログラム。
【発明の詳細な説明】
【技術分野】
【０００１】
本発明は、ノード装置に提供するネットワーク資源(Resource)を管理する資源管理装置の技術に関する。
【背景技術】
【０００２】
近年、地理的に分散した計算資源及びストレージ資源を、高速なネットワーク資源（例えばＭＰＬＳ(Multi-Protocol Label Switching)技術）で相互に結ぶことによって、大規模高性能計算システムを構築することが可能となってきた。また、このようなシステムは、仮想サーバ及び仮想ストレージを、仮想ネットワークで相互に結ぶことによって、物理的機器の違いを抽象化した仮想化技術も提供する。即ち、各通信装置の持つネットワーク資源（通信帯域等）は、資源管理装置によって管理される。資源管理装置は、自ら管理するネットワーク資源ドメインに接続される通信装置を管理する。
【０００３】
図１は、複数の資源管理装置を備えたシステム構成図である。
【０００４】
図１によれば、複数のネットワーク資源ドメインＡ〜Ｃが相互に接続されている。また、ネットワーク資源ドメイン毎に、１つの資源管理装置１（ネットワーク資源ドメインＡ用、Ｂ用及びＣ用）が備えられている。資源管理装置１は、自らの管理対象となるネットワーク資源ドメインに配置された複数のノード装置上のネットワーク端点に対して、ＩＰアドレスを割り当てる。資源管理装置１は、自ら管理すべきＩＰアドレスを蓄積した「アドレス資源蓄積部」を有する。
【０００５】
資源管理装置１は、例えば運用管理者によって操作されるオペレーションクライアント２からの要求に応じて、ノード装置上のネットワーク端点間に「パス」を設定する。１対向のノード装置間を「リンク」といい、１つ以上のリンクからなるノード装置間を「パス」という。資源管理装置１は相互に連携して、パスを設定する。
【０００６】
従来、ユーザから要求されたノード装置上のネットワーク端点を結ぶ「パス」を、オンデマンドに作成する技術がある（例えば非特許文献１参照）。
【０００７】
このように、ノード装置間にパスが作成された後、ネットワークの疎通を確認するためには、pingが一般的に利用される。ping(packet internet groper)とは、ＴＣＰ／ＩＰ(Transmission Control Protocol / Internet Protocol)ネットワークの接続性を診断するプログラムである。送信元ノード装置上のネットワーク端点から、宛先ノード装置上のネットワーク端点のＩＰアドレスへ向けて、ＩＣＭＰ(Internet
Control Message Protocol)の３２バイトのデータを送信し、宛先ノード装置から応答メッセージの返信があるか否かを判断する。pingプログラムを実行するためには、各ノード装置のネットワーク端点に対して、ＩＰアドレスを割り当てる必要がある。
【０００８】
ＩＰアドレスを自動的に付与する技術として、ＤＨＣＰ(Dynamic Host Configuration
Protocol)がある。この技術によれば、通信装置からの要求に応じて、アドレス割当装置（例えばルータ）は、自らが管理しているＩＰアドレスの一部を割り当てる。更に、ＧＭＰＬＳ(Generalized Multi-Protocol Label Switching)のシグナリングを用いて、対向する通信装置のＩＰアドレスを割り当てる技術もある（例えば特許文献１参照）。
【０００９】
ＩＰアドレスを割り当てることにより、例えば、図１のように、送信元ノード装置上のネットワーク端点から、異なるネットワーク資源ドメインを介した宛先ノード装置上のネットワーク端点に向けて、pingプログラムを実行することによって、設定されたパスの疎通を確認することができる。
【先行技術文献】
【特許文献】
【００１０】
【特許文献１】特開２００６−６０５３６号公報
【非特許文献】
【００１１】
【非特許文献１】A. Takefusa, M. Hayashi, N. Nagatsu, H.Nakada, T. Kudoh, T. Miyamoto, T. Otani, H. Tanaka, M. Suzuki, Y. Sameshima, W.Imajuku, M. Jinno, Y. Takigawa, S. Okamoto, Y. Tanaka and S. Sekiguchi,"G-lambda: Coordination of a Grid Scheduler and Lambda Path Service overGMPLS," FGCS, vol. 22, pp. 868-875, June 2006.
【発明の概要】
【発明が解決しようとする課題】
【００１２】
従来技術によれば、パスを作成した後、送信元ノード装置及び宛先ノード装置上のネットワーク端点へＩＰアドレスを割り当てる。その後、そのパスの疎通を確認するために、pingプログラムが実行される。
【００１３】
しかしながら、ＤＨＣＰの技術によれば、単一のアドレス割当装置（例えばルータ）がＩＰアドレス範囲を管理しているために、複数のネットワーク資源ドメインに跨る場合、異なる資源管理装置それぞれが、同一のＩＰアドレスを各ネットワーク端点へ重複して割り当てる場合がある。特に、サブネットマスクされたローカルアドレスについては、異なる資源管理装置であれば、重複して割り当てられる場合がある。そのために、従来、ＭＰＬＳパスのようなネットワークパスのネットワーク端点に割り当てるＩＰアドレスは、通信事業者自らのルールに基づいて、割り当てられていた。
【００１４】
また、特許文献１に記載された技術によれば、他のネットワーク資源ドメインを跨った場合、パスを作成するタイミングでＩＰアドレスが割り当てられるために、第１の資源管理装置が第１のノード装置上のネットワーク端点に割り当てたＩＰアドレスと、第２の資源管理装置の第２のノード装置上のネットワーク端点に割り当てたＩＰアドレスとが、重複してしまう場合がある。また、第１の資源管理装置が第１のノード装置上のネットワーク端点に割り当てたＩＰアドレスは、第２の資源管理装置の他のノード装置上のネットワーク端点に既に割り当てられたものである場合もある。このような場合、パス設定のシーケンスを再度やり直す必要がある。これは、パスの予約の時点で、事前にＩＰアドレスまで確保して割り当てておくができないことに基づく。
【００１５】
そこで、本発明は、複数のネットワーク資源ドメインを経由するパスを設定する際に、パスのネットワーク端点に割り当てられるＩＰアドレスが重複して割り当てられないようにするアドレス割当方法、資源管理装置及びプログラムを提供することを目的とする。
【課題を解決するための手段】
【００１６】
本発明によれば、第１のネットワーク資源ドメインを管理する第１の資源管理装置と、第２のネットワーク資源ドメインを管理する第２の資源管理装置とが接続されたシステムにおけるアドレス割当方法であって、
第１の資源管理装置は、第１のネットワーク資源ドメインの中で、ノード装置上のネットワーク端点へ割当可能なＩＰアドレス範囲を蓄積した第１のアドレス資源蓄積部を有し、
第２の資源管理装置は、第２のネットワーク資源ドメインの中で、ノード装置上のネットワーク端点へ割当可能なＩＰアドレス範囲を蓄積した第２のアドレス資源蓄積部を有し、
第１の資源管理装置が、第１のネットワーク資源ドメインに属する第１のノード装置と、第２のネットワーク資源ドメインに属する第２のノード装置との間でパスを確立すべきパス要求を、オペレーションクライアントから受信する第１のステップと、
第１の資源管理装置が、第２の資源管理装置との間で、第１のアドレス資源蓄積部の中で未割当のＩＰアドレスと、第２のアドレス資源蓄積部の中で未割当のＩＰアドレスとを交換する第２のステップと、
第１の資源管理装置及び第２の資源管理装置は、両方のアドレス資源蓄積部の中で互いに未割当のＩＰアドレスを、第１のノード装置及び第２のノード装置上のネットワーク端点へ割り当てる第３のステップと
を有することを特徴とする。
【００１７】
本発明のアドレス割当方法における他の実施形態によれば、
第２のステップについて、
第１の資源管理装置が、第１のアドレス資源蓄積部の中で未割当の第１のＩＰアドレス範囲を含む問合せ要求を、第２の資源管理装置へ送信する第２１のステップと、
第２の資源管理装置が、第１のＩＰアドレス範囲の中で、第２のアドレス資源蓄積部で未割当の第２のＩＰアドレスを、第１の資源管理装置へ送信する第２２のステップと
を有するものであってもよい。
【００１８】
本発明のアドレス割当方法における他の実施形態によれば、
第２２のステップについて、第２の資源管理装置が、第１のＩＰアドレス範囲が全て、第２のアドレス資源蓄積部で割当済みである場合、第２のアドレス資源蓄積部の中で未割当の第２のＩＰアドレス範囲を、第１の資源管理装置へ送信するステップと、
第１の資源管理装置が、第２のＩＰアドレス範囲の中で、第１のアドレス資源蓄積部で未割当の第１のＩＰアドレスを、第２の資源管理装置へ送信するステップと
を有するものであってもよい。
【００１９】
本発明のアドレス割当方法における他の実施形態によれば、ＩＰアドレス範囲は、サブネットを用いたクラスレスアドレッシング方式によって指定されるものであってもよい。
【００２０】
本発明のアドレス割当方法における他の実施形態によれば、システムは、第１のネットワーク資源ドメインと、第２のネットワーク資源ドメインとの間に、１つ以上の他のネットワーク資源ドメインが介在するものであってもよい。
【００２１】
本発明のアドレス割当方法における他の実施形態によれば、オペレーションクライアントからの指示に基づいて、パスが切断された場合、第１の資源管理装置及び第２の資源管理装置は、当該パスにおけるネットワーク端点に割り当てたＩＰアドレスを解放するものであってもよい。
【００２２】
本発明によれば、１つのネットワーク資源ドメインを管理する資源管理装置について、他の資源管理装置と連携して、複数のネットワーク資源ドメインがノード装置を介して接続されたネットワーク資源を管理する資源管理装置であって、
当該資源管理装置が管理するネットワーク資源ドメインの中で、ノード装置へ割当可能なＩＰアドレス範囲を蓄積したアドレス資源蓄積手段と、
オペレーションクライアントから、当該資源管理装置のネットワーク資源ドメインに属する第１のノード装置と、他方のネットワーク資源ドメインに属する第２のノード装置との間でパスを確立すべきパス要求を受信するパス要求受付手段と、
他方の資源管理装置との間で、当該アドレス資源蓄積部の中で未割当のＩＰアドレスと、他方の資源管理装置の中で未割当のＩＰアドレスとを交換するアドレス交換手段と、
両方の資源管理装置で互いに未割当のＩＰアドレスを、第１のノード装置上のネットワーク端点に割り当てるＩＰアドレス割当手段と
を有することを特徴とする。
【００２３】
本発明によれば、１つのネットワーク資源ドメインを管理する資源管理装置について、他の資源管理装置と連携して、複数のネットワーク資源ドメインがノード装置を介して接続されたネットワーク資源を管理する資源管理装置に搭載されたコンピュータを機能させるプログラムであって、
当該資源管理装置が管理するネットワーク資源ドメインの中で、ノード装置上のネットワーク端点へ割当可能なＩＰアドレス範囲を蓄積したアドレス資源蓄積手段と、
オペレーションクライアントから、当該資源管理装置のネットワーク資源ドメインに属する第１のノード装置と、他方のネットワーク資源ドメインに属する第２のノード装置との間でパスを確立すべきパス要求を受信するパス要求受付手段と、
他方の資源管理装置との間で、当該アドレス資源蓄積部の中で未割当のＩＰアドレスと、他方の資源管理装置の中で未割当のＩＰアドレスとを交換するアドレス交換手段と、
両方の資源管理装置で互いに未割当のＩＰアドレスを、第１のノード装置上のネットワーク端点に割り当てるＩＰアドレス割当手段と
してコンピュータを機能させることを特徴とする。
【発明の効果】
【００２４】
本発明のアドレス割当方法、資源管理装置及びプログラムによれば、複数のネットワーク資源ドメインを経由するパスを設定する際に、パスのネットワーク端点に割り当てられるＩＰアドレスが重複して割り当てられないようにすることができる。これによって、本発明によれば、パスを設定した後、ＩＰアドレスの重複によって疎通が成功しないというケースが無くなる。
【図面の簡単な説明】
【００２５】
【図１】複数の資源管理装置を備えたシステム構成図である。
【図２】本発明におけるシーケンス図である。
【図３】本発明の資源管理装置における機能構成図である。
【図４】資源管理装置を用いた次世代ネットワークのシステム構成図である。
【発明を実施するための形態】
【００２６】
以下、本発明の実施の形態について、図面を用いて詳細に説明する。
【００２７】
図２は、本発明におけるシーケンス図である。
【００２８】
（Ｓ２１１）最初に、オペレーションクライアント２が、資源管理装置Ａへパス要求を送信する。ここで、「パス要求」は、資源管理装置Ａが、ネットワーク資源ドメインＡに属するノード装置Ａと、ネットワーク資源ドメインＣに属するノード装置Ｃとの間でパスを確立すべきものであるとする。
（Ｓ２１２）パス要求を受け付けた資源管理装置Ａは、パス要求を、資源管理装置Ｂ及びＣへ送信する。
（Ｓ２１３）資源管理装置Ｂ及びＣは、パス要求に基づくパスの帯域を確保する。
（Ｓ２１４）そして、資源管理装置Ｂ及びＣは、予約完了を、資源管理装置Ａへ返信する。
（Ｓ２１５）資源管理装置Ａは、予約完了を、オペレーションクライアント２へ返信する。
これによって、パス要求に基づくパスの帯域が確保される。このように、各資源管理装置にパス設定が要求された場合、他の資源管理装置と連携しながらパスが設定される。
【００２９】
資源管理装置Ａ〜Ｃは、自ら管理するネットワーク資源ドメインの中で、ノード装置上のネットワーク端点へ割当可能なＩＰアドレス範囲を蓄積したアドレス資源蓄積部を有する。ここで、ＩＰアドレス毎に、「未割当／割当済み」が区別されて管理されている。
【００３０】
また、ＩＰアドレス範囲は、サブネットを用いたクラスレスアドレッシング方式によって管理されていることが好ましい。サブネットを調整することによって様々な大きさのＩＰアドレス範囲を指定することができる。例えば、192.168.0.1/27と指定することによって、192.168.0.1を含む３２個のアドレスを範囲を指定することとなり、192.168.1.1/26を指定することによって、192.168.0.1を含む６４個のアドレス範囲を指定することとなる。
【００３１】
（Ｓ２２）次に、資源管理装置Ａは、資源管理装置Ｃとの間で、装置Ａのアドレス資源蓄積部の中で未割当のＩＰアドレスと、装置Ｃのアドレス資源蓄積部の中で未割当のＩＰアドレスとを交換する。
ここで、Ｓ２２Ａは第１の実施形態を表し、Ｓ２２Ｂは第２の実施形態を表す。但し、Ｓ２２１及びＳ２２２は、両実施形態とも同じ処理である。
【００３２】
［Ｓ２２Ａ］
（Ｓ２２１）資源管理装置Ａは、アドレス資源蓄積部Ａの中で未割当の第１のＩＰアドレス範囲を検索する。
（Ｓ２２２）資源管理装置Ａは、未割当の第１のＩＰアドレス範囲を含む「問合せ要求」を、資源管理装置Ｃへ送信する。
【００３３】
（Ｓ２２３Ａ）資源管理装置Ｃは、問合せ要求に含まれる第１のＩＰアドレス範囲の中で、アドレス資源蓄積部Ｃに未割当の第２のＩＰアドレスを検索する。
（Ｓ２２４Ａ）資源管理装置Ｃは、未割当の第２のＩＰアドレスを検索できた場合、第２のＩＰアドレスを含む「割当応答」を、資源管理装置Ａへ返信する。
【００３４】
［Ｓ２２Ｂ］
Ｓ２２１及びＳ２２２は、前述と同様である。
（Ｓ２２３Ｂ）資源管理装置Ｃは、未割当の第２のＩＰアドレスを検索できなかった場合、即ち、問合せ要求に含まれる第１のＩＰアドレス範囲の全てが既に割り当てられている場合、アドレス資源蓄積部Ｃの中で未割当の第２のＩＰアドレス範囲を検索する。
（Ｓ２２４Ｂ）資源管理装置Ｃは、未割当の第２のＩＰアドレス範囲を含む「問合せ要求」を、資源管理装置Ａへ送信する。
（Ｓ２２５Ｂ）資源管理装置Ａは、問合せ要求に含まれる第２のＩＰアドレス範囲の中で、アドレス資源蓄積部Ａに未割当の第１のＩＰアドレスを検索する。
（Ｓ２２６Ｂ）資源管理装置Ａは、未割当の第１のＩＰアドレスを検索できた場合、第１のＩＰアドレスを含む「割当応答」を、資源管理装置Ｃへ返信する。
【００３５】
（Ｓ２３）最後に、第１の資源管理装置及び第２の資源管理装置は、両方のアドレス資源蓄積部の中で互いに未割当のＩＰアドレスを、第１のノード装置及び第２のノード装置上のネットワーク端点へ割り当てる。
【００３６】
尚、第１のネットワーク資源ドメインと第２のネットワーク資源ドメインとの間には、１つ以上の他のネットワーク資源ドメインが介在するものであってもよい。
【００３７】
図３は、本発明の資源管理装置における機能構成図である。
【００３８】
図３によれば、資源管理装置１は、通信インタフェース１０と、アドレス資源蓄積部１１と、パス要求受付部１２と、パス設定部１３と、アドレス交換部１４と、アドレス割当部１５とを有する。通信インタフェースを除くこれら機能構成部は、資源管理装置に搭載されたコンピュータを機能させるプログラムを実行することによって実現される。
【００３９】
通信インタフェース１０は、当該資源管理装置が管理するネットワーク資源ドメインのネットワークに接続される。資源管理装置１は、自ら管理するノードと通信する共に、他のネットワーク資源ドメインに属する他の資源管理装置とも通信することができる。
【００４０】
アドレス資源蓄積部１１は、当該資源管理装置が管理するネットワーク資源ドメインの中で、ノード装置上のネットワーク端点へ割当可能なＩＰアドレス範囲を蓄積する。前述したように、ＩＰアドレス毎に、「未割当／割当済み」が区別されて管理されている。また、ＩＰアドレス範囲は、サブネットを用いたクラスレスアドレッシング方式によって管理されていることが好ましい。
【００４１】
パス要求受付部１２は、オペレーションクライアント２から、当該資源管理装置のネットワーク資源ドメインに属する第１のノード装置と、他方のネットワーク資源ドメインに属する第２のノード装置との間でパスを確立すべきパス要求を受け付ける（前述した図２のＳ２１１及びＳ２１５参照）。勿論、パス要求は、オペレーションクライアント２から受け付けるものであってもよいし、他の資源管理装置から受信するものであってもよい。パス要求の内容は、パス設定部１３へ出力される。
【００４２】
尚、パス要求受付部１２は、オペレーションクライアント２からのパス切断指示も受け付ける。そのパス切断指示は、パス設定部１３へ通知される。
【００４３】
パス設定部１３は、他の資源管理装置との間で、パスの帯域確保を予約する（前述した図２のＳ２１２〜Ｓ２１４参照）。パスの帯域確保の予約が完了した場合、その旨を、アドレス交換部１４へ通知する。尚、パス設定部１３は、パス要求受付部１２からパス切断指示を受けた場合、パスを切断する。その場合、アドレス資源蓄積部１１に対して、ＩＰアドレスの解放が指示される。
【００４４】
アドレス交換部１４は、他方の資源管理装置との間で、当該アドレス資源蓄積部の中で未割当のＩＰアドレスと、他方の資源管理装置の中で未割当のＩＰアドレスとを交換する（前述した図２のＳ２２参照）。決定されたＩＰアドレスは、アドレス割当部１５へ出力される。
【００４５】
アドレス割当部１５は、両方の資源管理装置で互いに未割当のＩＰアドレスを、ノード装置上のネットワーク端点に割り当てる（図２のＳ２３参照）。
【００４６】
次に、アドレス交換部１４について詳細に説明する。アドレス交換部１４は、問合せ要求部１４１と、問合せ受信部１４２と、未割当アドレス検索部１４３と、割当応答送信部１４４と、割当応答受信部１４５とを有する。
【００４７】
問合せ要求部１４１は、パスが設定された後、アドレス資源蓄積部の中で未割当のＩＰアドレス範囲を検索し、未割当のＩＰアドレス範囲を含む問合せ要求を、宛先ノード装置が属する他方の資源管理装置へ送信する。
【００４８】
問合せ受信部１４２は、宛先ノード装置が属する他方の資源管理装置から、問合せ要求を受信する。問合せ受信部１４２は、アドレス資源蓄積部１１を参照し、問合せ要求に含まれるＩＰアドレス範囲の全てが、「割当済み」であるか否かを確認する。
（１）問合せ要求に含まれるＩＰアドレス範囲の全てが、「割当済み」である場合、問合せ要求部１４１へ、逆に他方の資源管理装置へ問合せ要求を送信するべく指示する。
（２）問合せ要求に含まれるＩＰアドレス範囲の全てが、「割当済み」でない場合、そのＩＰアドレス範囲を、未割当アドレス検索部１４３へ出力する。
【００４９】
未割当アドレス検索部１４３は、問合せ受信部１４２及び割当応答受信部１４５から通知された未割当アドレス範囲の中で、アドレス資源蓄積部１１を参照し、未割当のＩＰアドレスを検索する。そのＩＰアドレスは、割当応答送信部１４４へ出力される。
【００５０】
割当応答送信部１４４は、未割当アドレス検索部１４３からＩＰアドレスを受け付け、そのＩＰアドレスを含む割当応答を、他方の資源管理装置へ送信する。
【００５１】
割当応答受信部１４５は、宛先ノード装置が属する他方の資源管理装置から、割当応答を受信する。割当応答にＩＰアドレスが含まれている場合、そのＩＰアドレスをアドレス割当部１５へ出力する。また、割当応答にＩＰアドレス範囲が含まれている場合、そのＩＰアドレス範囲を未割当アドレス検索部１４３へ出力する。
【００５２】
図４は、資源管理装置を用いた次世代ネットワークのシステム構成図である。
【００５３】
図４によれば、複数の資源管理装置が、次世代ネットワーク(ＮＧＮ：Next Generation Network)におけるリソース受付制御機能（ＲＡＣＦ:Resource and Admission Control Functions)装置として適用されている。端末（ノード装置）は、ＵＮＩ（User Network Interface）を介して、先ずサービス・ストラタムにおけるセッション制御機能に対する接続要求を送信する。このセッション制御機能は、資源要求情報を、転送制御機能を有するトランスポート・ストラタムへ送信する。その資源要求情報は、トランスポート・ストラタムにおける１つのリソース受付制御機能サーバ（資源管理装置）によって受信される。リソース受付制御機能装置は、他のリソース受付制御機能装置と相互に連携し、複数のネットワーク資源ドメインに渡ってネットワーク資源の確保を実行する。これによって、転送制御機能のシステム全体におけるネットワーク資源の利用性能を向上させることができる。
【００５４】
以上、詳細に説明したように、本発明のアドレス割当方法、資源管理装置及びプログラムによれば、複数のネットワーク資源ドメインを経由するパスを設定する際に、パスのネットワーク端点に割り当てられるＩＰアドレスが重複して割り当てられないようにすることができる。これによって、本発明によれば、パスを設定した後、ＩＰアドレスの重複によって疎通が成功しないというケースが無くなる。
【００５５】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００５６】
１  資源管理装置
１０  通信インタフェース
１１  アドレス資源蓄積部
１２  パス要求受付部
１３  パス設定部
１４  アドレス交換部
１４１  問合せ要求部
１４２  問合せ受信部
１４３  未割当アドレス検索部
１４４  割当応答送信部
１４５  割当応答受信部
１５  アドレス割当部
２  オペレーションクライアント
３  ノード装置
【図１】
2012199723.tif 000003
【図２】
2012199723.tif 000004
【図３】
2012199723.tif 000005
【図４】
2012199723.tif 000006